(57)【特許請求の範囲】
【請求項１】
夫々同一形状で、互いの端面が離間して対向するように一直線上に配置され、それらの対向面の反対側にそれぞれ接続部(1)が配置されると共に、その接続部(1)に隣接した外周に螺回工具嵌着面(18)がそれぞれ形成された一対の第１パイプ(5)と、
夫々の第１パイプ(5)の外周で、接続部(1)側に被嵌され、その外周に螺回工具嵌着面(18)を有し、接続部(1)と反対側の外周に第２パイプの螺着部が形成された一対の同一の第１リング(13)と、
夫々の第１パイプ(5)の外周で前記接続部(1)と反対側に被嵌され、前記接続部側の外周に第２パイプの螺着部が形成されると共に、それと反対側の内周に連結パイプ(19)の螺着部が形成され且つ、外周に螺回工具嵌着面(18)が形成された一対の同一の第２リング(17)と、
夫々の第１パイプ(5)の軸線方向の中間に配置され、一対の止め輪(3a)に幅方向両側を挟持された一対の同一のピストン(8)と、
夫々パイプ材の両端部内周に螺着部を設けたものからなり、その螺着部が第１リング(13)の螺着部と第２リング(13)の外周に螺着締結される一対の同一の第２パイプ(11)と、
パイプ材の両端部外周に螺着部を設けたものからなり、その螺着部が対向する一対の第２リング(17)の内周に螺着し、第１パイプ(5)の端部外周に略整合して、その外周端部を被嵌する連結パイプ(19)と、を具備し、
その連結パイプ(19)の両端が一対の第２パイプ(11)に直列に連結され、それらの連結体が一体として、一対の第１パイプ(5)を軸線方向に移動自在に配置され、
ピストン(3)の一方側で、第１パイプ(5)に連通孔(4)が形成され、ピストン(3)の他方側で第２パイプ(11)にエアー抜き孔(23)が形成され、
前記連結パイプ(19)を軸方向の中心に位置して、その両側に対称に各一対づつの第１パイプ(5)、第２パイプ(11)、ピストン(8)、第１リング(13)、第２リング(17)が配置され、
前記第２リング(17)のピストン(8)側の端面には、第２パイプとの間に環状凹部が形成され、ピストン(8)が第２リング(17)に衝接したとき、その環状凹部に前記ピストンの止め輪(3a)が嵌入して、止め輪(3a)が第２リング(17)に衝突するのを防止すると共に、その衝接時には前記エアー抜き孔(23)がピストン(8)により実質的に閉塞されるように構成され、
前記第１リングおよび第２リングの外周に螺回工具嵌着面(18)が形成された無反力型伸縮継手。
【請求項２】
請求項１に記載の無反力型伸縮継手の組立て方法において、
夫々の第１パイプ(5)の外周に、第１リング(13)を挿通し、それを接続部(1)の螺回工具嵌着面の近傍まで移動した後に、ピストン取付部(2)にピストン(8)被嵌し、一対の止め輪係止溝(3)に夫々止め輪(3a)を嵌着してピストンを固定する工程と、
夫々の第１リング(13)に第２パイプ(11)の一端を螺着接続すると共に、その他端と第２リング(17)とを螺着接続しかつ、一対の第２リング(17)どうしを連結パイプ(19)で螺着接続する工程と、を具備する無反力型伸縮継手の組立て方法。
【発明の詳細な説明】
【技術分野】
【０００１】
本発明は、配管どうしを互いに接続する伸縮継手であって、内部を流通する流体圧によって配管や継手に生じる反力を相殺する無反力型のものに関する。
【背景技術】
【０００２】
無反力型の伸縮継手は、下記特許文献１に記載されたものが提案されている。
この継手は、内装管と外装管との間に形成される空間部に、夫々一対の継手本体の一端部をスライド自在に挿入する。その継手本体は、一端部に環状凸部が突設形成され、それが空間部に配置されるものである。内装管は、その軸線方向中央に環状凸部が形成され、その外周面に溝部が形成されている。外装管は、一対存在し、その端部内周面に内フランジ状の環状部を有し、それが継手本体に摺接する。各外装管の他端部は、外周側に環状凸部を有し、その環状凸部に係止部を有するＴ字状の環状体が被嵌されて継手を構成するものである。
【先行技術文献】
【特許文献】
【０００３】
【特許文献１】特開平１１−３０３７５号公報
【発明の概要】
【発明が解決しようとする課題】
【０００４】
上記特許文献１に記載の継手は、内装管と外装管と一対の継手本体と、さらに断面Ｔ字状の環状体とを有し、部品点数が多くなると共に、各部品が特殊形状を有するため、量産性に欠けると共に、コスト高になる欠点がある。
そこで本発明は、パイプ材とリング材との組立て体からなり、製造容易で量産性の高い継手を安価に提供することを課題とする。
【課題を解決するための手段】
【０００５】
請求項１に記載の本発明は、夫々同一形状で、互いの端面が離間して対向するように一直線上に配置され、それらの対向面の反対側にそれぞれ接続部(1)が配置されると共に、その接続部(1)に隣接した外周に螺回工具嵌着面(18)がそれぞれ形成された一対の第１パイプ(5)と、
夫々の第１パイプ(5)の外周で、接続部(1)側に被嵌され、その外周に螺回工具嵌着面(18)を有し、接続部(1)と反対側の外周に第２パイプの螺着部が形成された一対の同一の第１リング(13)と、
夫々の第１パイプ(5)の外周で前記接続部(1)と反対側に被嵌され、前記接続部側の外周に第２パイプの螺着部が形成されると共に、それと反対側の内周に連結パイプ(19)の螺着部が形成され且つ、外周に螺回工具嵌着面(18)が形成された一対の同一の第２リング(17)と、
夫々の第１パイプ(5)の軸線方向の中間に配置され、一対の止め輪(3a)に幅方向両側を挟持された一対の同一のピストン(8)と、
夫々パイプ材の両端部内周に螺着部を設けたものからなり、その螺着部が第１リング(13)の螺着部と第２リング(13)の外周に螺着締結される一対の同一の第２パイプ(11)と、
パイプ材の両端部外周に螺着部を設けたものからなり、その螺着部が対向する一対の第２リング(17)の内周に螺着し、第１パイプ(5)の端部外周に略整合して、その外周端部を被嵌する連結パイプ(19)と、を具備し、
その連結パイプ(19)の両端が一対の第２パイプ(11)に直列に連結され、それらの連結体が一体として、一対の第１パイプ(5)を軸線方向に移動自在に配置され、
ピストン(3)の一方側で、第１パイプ(5)に連通孔(4)が形成され、ピストン(3)の他方側で第２パイプ(11)にエアー抜き孔(23)が形成され、
前記連結パイプ(19)を軸方向の中心に位置して、その両側に対称に各一対づつの第１パイプ(5)、第２パイプ(11)、ピストン(8)、第１リング(13)、第２リング(17)が配置され、
前記第２リング(17)のピストン(8)側の端面には、第２パイプとの間に環状凹部が形成され、ピストン(8)が第２リング(17)に衝接したとき、その環状凹部に前記ピストンの止め輪(3a)が嵌入して、止め輪(3a)が第２リング(17)に衝突するのを防止すると共に、その衝接時には前記エアー抜き孔(23)がピストン(8)により実質的に閉塞されるように構成され、
前記第１リングおよび第２リングの外周に螺回工具嵌着面(18)が形成された無反力型伸縮継手である。
【０００７】
請求項２に記載の本発明は、請求項１に記載の無反力型伸縮継手の組立て方法において、
夫々の第１パイプ(5)の外周に、第１リング(13)を挿通し、それを接続部(1)の螺回工具嵌着面の近傍まで移動した後に、ピストン取付部(2)にピストン(8)被嵌し、一対の止め輪係止溝(3)に夫々止め輪(3a)を嵌着してピストンを固定する工程と、
夫々の第１リング(13)に第２パイプ(11)の一端を螺着接続すると共に、その他端と第２リング(17)とを螺着接続しかつ、一対の第２リング(17)どうしを連結パイプ(19)で螺着接続する工程と、を具備する無反力型伸縮継手の組立て方法である。
【発明の効果】
【０００８】
本発明は、前記第２リング(17)のピストン(8)側の端面には、第２パイプとの間に環状凹部が形成され、ピストン(8)が第２リング(17)に衝接したとき、その環状凹部に前記ピストンの止め輪(3a)が嵌入して、止め輪(3a)が第２リング(17)に衝突するのを防止すると共に、その衝接時には前記エアー抜き孔(23)がピストン(8)により実質的に閉塞されるように構成されたものである。
そのため、ピストンの両側を止め輪(3a)で止着した構造の簡単な無反力型伸縮継手において、ピストン(8)が第２リング(17)に衝接時に、止め輪(3a)を介してピストンにその衝撃力が加わるのを防止して、信頼性の高い無反力型伸縮継手を提供できる。
また、前記連結パイプ(19)を軸方向の中心に位置して、その両側に対称に各一対づつの同一の第１パイプ、第２パイプ(11)、ピストン(8)、第１リング(13)、第２リング(17)が配置されたものである。そのため、少ない部品点数で、軸線方向の何れの方向からの外力に対しても、有効に伸縮し得る。
しかも、パイプ材とリングとの組み合わせからなる極めて単純な各構成部品の組立て体よりなり、製造容易で量産性が高い無反力型伸縮継手を安価に提供できる。即ち、主要部品は同一形状のものを一対づつ用いるため、部品点数が少なく、その点からも継手を安価に提供できる。
【００１０】
請求項２に記載の継手の組立て方法は、請求項１に記載の無反力型伸縮継手の組立て方法において、夫々の第１パイプ(5)の外周に、第１リング(13)およびピストン(8)被嵌して、止め輪(3a)でそのピストン(8)を固定する工程と、
その第１リング(13)に第２パイプ(11)の一端を螺着接続すると共に、その他端と第２リング(17)とを螺着接続しかつ、一対の第２リング(17)どうしを連結パイプ(19)で螺着接続する工程とを有するものである。そのため、部品点数が少なく、同一の部品を前記連結パイプ(19)の両側に配置すれば足り、容易、迅速に継手の組立てを行うことができる。
【図面の簡単な説明】
【００１１】
【図１】本発明の無反力型伸縮継手の一部縦断面図。
【図２】同継手の使用状態を示す要部縦断面図。
【図３】同継手の組立て手順の第１工程を示す一部断面図。
【図４】同第２工程を示す一部断面図。
【図５】同第３工程を示す一部断面図。
【図６】同第４工程を示す一部断面図。
【発明を実施するための形態】
【００１２】
次に、図面に基づいて、本発明の実施の形態に付き説明する。
この継手は、図１及び図２に示す如く、一対の第１パイプ５と、夫々の第１パイプ５の外周に被嵌されるピストン８と、そのピストン８の外周に被嵌される一対の第２パイプ11と、各第２パイプ11の両端に螺着される一対の幅の狭い環状の第１リング13，第２リング17と、各第２リング17間を連結する連結パイプ19とからなる。
第１パイプ５はこの例では、一端に雄ネジからなる接続部１及び、六角の螺回工具嵌着面18が形成された細長い筒状体からなり、その外周に図２に示す如く、ピストン８の間隔で一対の止め輪係止溝３が形成されている。
【００１３】
次に、ピストン８はその内外周に環状溝を有し、そこに内シールリング７と外シールリング６とが嵌着される。そして第１パイプ５のピストン取付部２にそれが被嵌され、その両側の止め輪係止溝３に止め輪3aが嵌着されてピストン８を固定する。その止め輪3aは、一例として平面Ｃ字状のファスナーからなり、通常軸止めとして用いられるもを使用できる。
次に、第２パイプ11はその内周面がピストン８の外周に整合し、その両端に内ネジとして螺着部９，10が螺着形成されている。
【００１４】
次に、第１リング13は幅の狭い環状に形成され、その内周に設けられた環状溝に内シールリング12としてツイスターリングが嵌着される。また、その外周の溝に外シールリング12a（図２）が嵌着される。そして、その第１リング13が第２パイプ11の一端部に螺着される。
【００１５】
次に、第２リング17は、幅の狭い環状体からなり、その幅方向一端外周に螺着部14が形成され、他端内周に螺着部15が形成される。さらに、第２リング17の内周面に形成された環状溝に内シールリング16としてツイスターリングが嵌着される。さらに内周面に他の環状溝を有し、そこにも内シールリング16（図２）が嵌着される。そして、第２パイプ11の他端の螺着部10と第２リング17の螺着部14とが螺着締結される。また、図１に示す如く、互いに対向する一対の第２リング17の各螺着部15に連結パイプ19の両端が螺着締結される。
【００１６】
〔作用〕
このようにしてなる管継手は、一対の第１パイプ５の各接続部１に配管20の端部が螺着締結される。そして、地震その他によって軸線方向に外力が加わると、配管と接続された第１パイプ５は、第２パイプ11及び連結パイプ19に対して軸線方向に移動する。このとき、ピストン８が第１パイプ５と共に移動し、そのピストン８と第２リング17との空間容積が変化する。そしてその間に存在する空気がエアー抜き孔23から流出したり、外部からの空気が進入したりする。
また、ピストン８と第１リング13との間には、内部流体（液体）が存在し、それが連通孔４を介して流出入する。
【００１７】
次に、図２に示す如く、右側の第１パイプ５の接続部１にエルボ型の配管20が存在し、内部流体が矢印の方向に流通すると、第１パイプ５の内部面積と流体圧との積に等しい圧力が配管20に、右方向へ加わる。このとき内部流体は、連通孔４を介して第１パイプ５と第２パイプ11との間に流入しており、その第１パイプ５の外周と第２パイプ11の内周との間の断面積と流体圧との積に等しい圧力がピストン８に加わり、その圧力は流体の流通方向と逆方向（左方向）である。このときピストン８の断面積と第１パイプ５の内面の断面積とを等しくすることにより、第１パイプ５を介して配管20に加わる右方向の圧力をピストン８を介して左方向の圧力に平衡させることができる。それによって、本発明の無反力型伸縮継手となる。
なお、図２の場合と逆に、図１の左側にエルボ型の配管20が取付られた場合には、左側のピストン８に加わる流体圧が左側の配管の外力と平衡する。
【００１８】
〔組立て順序〕
次に、本発明の継手の組立て順序の一例につき説明する。
なお、本継手は図１に示す如く、同一形状の各部品が左右対称に一対づつ配置されるものであるから、その左側部分のみの組立てにつき説明し、右側は同様に組立てるものとして省略する。
先ず、図３に示す如く、第１パイプ５の外周に、その接続部１と反対側から第１リング13とピストン８とを順に挿入する。そして、ピストン８をピストン取付部２の位置に保持し、その両側の止め輪係止溝３に止め輪3aを嵌着する。ついで、第２パイプ11をピストン８及び第１リング13の外周に被嵌し、第２パイプ11の一方の螺着部９の雌ネジと第１リング13の雄ネジとを螺着締結する。
【００１９】
次いで、図４に示す如く第２リング17を第１パイプ５の外周に挿通し、その雄ネジと第２パイプ11の他端に設けられた雌ネジである螺着部10とを螺着締結する。
次いで、図５及び図６に示す如く、第１パイプ５に連結パイプ19を被嵌し、その一端の雄ネジを第２リング17の雌ネジである螺着部15に螺着締結し、本継手を完成する。
これらの各部品の螺着締結において、第１パイプ５と第１リング13と第２リング17とには、夫々の外周に螺回工具嵌着面18が設けられ、そこにスパナ等の螺回工具を嵌着して、共回りを防止した状態で、それらと第２パイプ11及び連結パイプ19との間を螺着締結する。第２パイプ11及び連結パイプ19の外周は、パイプの外周を咬着把持する工具によって把持した状態で、そのパイプを回転させる。
【符号の説明】
【００２０】
１  接続部
２  ピストン取付部
３  止め輪係止溝
3a  止め輪
４  連通孔
５  第１パイプ
６  外シールリング
７  内シールリング
【００２１】
８  ピストン
９  螺着部
10  螺着部
11  第２パイプ
12  内シールリング
12a  外シールリング
13  第１リング
14  螺着部
15  螺着部
【００２２】
16  内シールリング
17  第２リング
18  螺回工具嵌着面
19  連結パイプ
20  配管
21  流体
23  エアー抜き孔
【図１】
0005975840.tif 000002
【図２】
0005975840.tif 000003
【図３】
0005975840.tif 000004
【図４】
0005975840.tif 000005
【図５】
0005975840.tif 000006
【図６】
0005975840.tif 000007